(57)【要約】【課題】掻き取った舌垢を確実に口内から除去できる舌垢掻き取り具を提供すること。【解決手段】舌垢掻き取り具１を、樹脂製の材料で形成するとともに柄部３と掻き取り部１０を有して一体的に形成する。掻き取り部１０は、正面視、ハート形に形成するとともに凹状の受け皿部１１を有する。受け皿部１１の周縁部は略全周にわたって掻き取り溝１２を形成し、掻き取り溝１２の先端部を掻き取り溝から立ち上がる立ち上がり部１３として形成する。掻き取り溝１２及び立ち上がり部１３は、受け皿部１１の厚みより薄く形成するとともに立ち上がり部１３を内側に傾斜して形成する。掻き取り部１０を舌に吸着可能に押し当てることによって、立ち上がり部１３で掻き取った舌垢を受け皿部１１に収納する。【選択図】図３
2009011655.tif 000002
【特許請求の範囲】
【請求項１】
舌垢を掻き取るための舌垢掻き取り具であって、
凹状の受け皿部を有する掻き取り部と、前記掻き取り部に連接された柄部と、を備えて形成され、
前記掻き取り部が、舌の表面を覆うように前記柄部の根元付近まで前記受け皿部を囲う掻き取り溝を周縁部に形成し、
前記掻き取り溝が、前記受け皿部の肉厚より薄く形成されて小幅に形成されるとともに、前記掻き取り溝の先端が内側に傾斜して形成されていることを特徴とする舌垢掻き取り具。
【請求項２】
前記掻き取り部が、正面視略ハート形に形成されていることを特徴とする請求項１記載の舌垢掻き取り具。
【請求項３】
前記掻き取り部が、正面視略スペード形に形成されていることを特徴とする請求項１記載の舌垢掻き取り具。
【請求項４】
前記柄部が、前記掻き取り部との連接部を狭小に形成するとともに複数の突状円環部を前記柄部の長さ方向に形成していることを特徴とする請求項１，２又は３のいずれかに記載の舌垢掻き取り具。
【請求項５】
前記掻き取り部と前記柄部とは、樹脂製の材料で一体成形されていることを特徴とする請求項１，２，３又は４のいずれかに記載の舌垢掻き取り具。
【発明の詳細な説明】
【技術分野】
【０００１】
本発明は舌に付着した垢を掻き取って清掃する舌垢掻き取り具に関する。
【背景技術】
【０００２】
舌には、舌乳頭が形成されていて舌乳頭間に食べ物のカスや汚物が付着して舌垢や舌苔となって蓄積されている。舌垢や舌苔が溜ると口臭の発生や味覚低下の原因となるため、舌垢や舌苔を取り除くために、従来から歯ブラシを使って掻き取ったり、又は舌垢掻き取り具で掻き取ったりしていた。舌垢掻き取り具は、舌の上面を奥から舌の先端に向かって擦るように移動することによって行われており、従来では、特許文献１又は特許文献２によって知られている。
【０００３】
特許文献１に示されている舌垢の擦り取り具は、把持部と可撓性を有する首部と扇形状に形成されて先端に擦り取り片と植毛部を有する頭部とを有して形成されている。擦り取り片は円弧状で肉薄に形成され、植毛部は擦り取り片より把持部側に配置されて擦り取り片と平行して形成されるとともに、擦り取り片より高くなるように配置されている。そして、この擦り取り具を舌の奥に挿入して、奥から舌の先端に引っ張るようにスライドさせることによって舌垢を擦り取ることができることとなっていた。
【０００４】
特許文献２に示されている口内清掃具は、舌の汚れを安全かつ確実に除去するものであり、握り部とクリーナ部とを備えて形成され、クリーナ部の先端には薄肉片からなるスキージ部と舌垢を剥離するブラシ部とを備えている。スキージ部は先端に向かって内側に傾斜するように形成されている。さらにクリーナ部はポリプロピレン樹脂と軟質エラストマ樹脂の２層構造に一体成型され弾力性を有している。この口内清掃具を、口の中に挿入し、舌の表面で前後左右に動かすことによって、ブラシ部で舌垢を舌から剥離させ、スキージ部で剥離した舌垢を掻き寄せて口内の清掃を行うこととなっていた。
【特許文献１】特開２００１−６１８４９公報
【特許文献２】特開２００１−４５７公報
【発明の開示】
【発明が解決しようとする課題】
【０００５】
舌垢や舌苔を、歯ブラシや舌垢掻き取り具で掻き取って清掃する際、舌垢や舌苔を一旦掻き取ることはできても再び舌乳頭間に付着しやすく充分な清掃を行うことができなかった。そのため、この舌垢掻き取り具においては、一旦、掻き取った舌垢を、如何に口外に持ち運んで除去できるかどうかが課題として残されていた。例えば、特許文献１の舌垢の擦り取り具では、植毛部で舌垢を剥離し擦り取り部で剥離した舌垢を擦り取るように構成されているものの、擦り取り部で掻き寄せる際に、舌垢が舌乳頭間に付着しやすいこととなって、完全には除去できずに充分な清掃を行うことができなかった。
【０００６】
また、特許文献２の口内清掃具では、ブラシ部で舌垢を剥離し、スキージ部で掻き寄せて舌垢を除去しようとしているものであるから、スキージ部で掻き寄せる際に、やはり舌垢が舌乳頭間に付着しやすく、充分な清掃を行うことができなかった。
【課題を解決するための手段】
【０００７】
本発明は、上述の課題を解決するものであり、舌乳頭間から舌垢を剥離するとともに、剥離した舌垢を確実に除去できる舌垢掻き取り具を提供することを目的とする。
【０００８】
そのため本発明に係る舌垢掻き取り具は、以下のように構成するものである。すなわち、
請求項１記載の発明では、舌垢を掻き取るための舌垢掻き取り具であって、凹状の受け皿部を有する掻き取り部と、前記掻き取り部に連接された柄部と、を備えて形成され、前記掻き取り部が、舌の表面を覆うように前記柄部の根元付近まで前記受け皿部を囲う掻き取り溝を周縁部に形成し、前記掻き取り溝が、前記受け皿部の肉厚より薄く形成されて小幅に形成されるとともに、前記掻き取り溝の先端が内側に傾斜して形成されていることを特徴とするものである。
【０００９】
請求項２記載の発明では、前記掻き取り部が、正面視略ハート形に形成されていることを特徴としている。
【００１０】
請求項３記載の発明では、前記掻き取り部が、正面視略スペード形に形成されていることを特徴としている。
【００１１】
請求項４記載の発明では、前記柄部が、前記掻き取り部との連接部を狭小に形成するとともに複数の突状円環部を前記柄部の長さ方向に形成していることを特徴としている。
【００１２】
請求項５記載の発明では、前記掻き取り部と前記柄部とは、樹脂製の材料で一体成形されていることを特徴としている。
【発明の効果】
【００１３】
本発明によれば、舌垢掻き取り具の掻き取り部を先端側にして口の中に入れて、口内の奥側から舌の先端に向かって引っ張ると、掻き取り溝の先端立ち上がり部が舌垢を掻き取るとともに掻き取った舌垢を受け皿部に収納する。掻き取り溝は小幅で薄肉に形成されるとともに、内側に向かって傾斜して形成されているから、下乳頭間内の舌垢を掻き取りやすい。また、立ち上がり部が凹状の受け皿の周縁部の略全体に形成されているから、立ち上がり部を舌の表面に食い込ませると、舌を吸着状態にするから、掻き取った舌垢を吸込んで掻き取り溝及び受け皿に収納することができる。従って、舌垢を再び舌乳頭間に付着させにくい。そのため、掻き取った舌垢を確実に口外に持ち運んで口内から除去することができる。
【００１４】
また、舌垢掻き取り具を口内に挿入する際、使用者は舌を平面状にして口から外に突き出すか、あるいは舌をＶ字状にして突き出すことがあり、掻き取り部をいずれかに合わせた形状に形成する。つまり、舌を平面状にして出せば、掻き取り部をハート形に形成したものを使用し、舌をＶ字状にして出せば、掻き取り部をスペード形にしたものを使用すれば、いずれの場合も、掻き取り部を舌に対向させて立ち上がり部で舌の表面に食い込ませることによって、吸着状態を確保することができ、舌垢を確実に口外に持ち運んで口内から除去することが可能となる。
【００１５】
さらに、柄部の掻き取り部との連接を狭小に形成することに、手で持つ柄部を持ち易くするとともに、樹脂製で形成することによって、掻き取り部を撓ませて使用しやすくしている。
【発明を実施するための最良の形態】
【００１６】
次に、本発明の舌垢掻き取り具の一形態を、図面に基づいて説明する。
【００１７】
図１〜２において、舌垢掻き取り具（以下、単に掻き取り具という）１は、軸方向に延びる柄部３と凹状面を有する掻き取り部１０とから形成されている。図１は、掻き取り具１の正面視を示すものであり、例えば、ポリプロピレンあるいはポリエチレン製等の樹脂の材料で一体成型にて形成されている。柄部３は、手で持ち易くするために、掻き取り部１０との連接部４を狭小に形成するとともに、柄部３の軸方向において中央部から後方に向かって連接部４より幅方向に広がるとともに、複数の円環部５が柄部外周上を突状にして形成されている。
【００１８】
掻き取り部１０は、図２に示すように、柄部３の軸心延設方向に対して、傾斜する方向に延設して形成されるとともに、柄部３の軸心延設方向に対して、水平方向に直交する方向に広がるとともに中央部を凹状にしたハート形（図１参照）に形成されている。また、図２に示すように、側面視、湾曲して形成され、表面には受け皿部１１が凹状面として形成されている。掻き取り部１０の詳細は、図３〜４に示すように、受け皿部１１の周縁部には小幅に形成された掻き取り溝１２が受け皿部１１の略全周にわたって形成され、掻き取り溝１２の先端は掻き取り溝１２から立ち上がる立ち上がり部１３として形成されている。立ち上がり部１３は受け皿部１１の内方に向かって傾斜して形成されている。
【００１９】
受け皿部１１は、立ち上がり部１３の先端から掻き取り部１１の外周面に沿って湾曲状に形成されるとともに、舌垢の量を適度に収納できる深さで形成されている。この深さは、舌垢を溜めるために最大深さを１〜５ｍｍの範囲で形成されることが望ましく、また肉厚は、掻き取り部１２を破損させない充分な強度を有する厚み１〜２ｍｍの範囲に形成されることが望ましい。
【００２０】
掻き取り溝１２は、受け皿部１１の凹状面から内部に食い込んで形成され、舌の表面を移動する際に、掻き取り溝１２を舌乳頭間に食い込ませるために、受け皿部１１から可撓性可能に形成する。また掻き取った舌垢を逃がさないように溝深さは０．１〜２ｍｍの範囲に形成され、溝幅は０．１〜２ｍｍの範囲に形成されることが望ましい。
【００２１】
立ち上がり部１３は、掻き取った舌垢を掻き取り部１２から逃がすことなく、また口の中を傷つけずに、さらに立ち上がり部１３を損傷しない程度の寸法で形成されている。つまり、掻き取り溝１２の深さと同様に、その厚みが０．１〜２ｍｍの範囲に形成され、立ち上がり高さは０．１〜２ｍｍの範囲に形成されることが望ましい。さらに、立ち上がり部１３の内側への傾斜角度は、舌垢を掻き取りやすい角度に設定するため、柄部３の軸心方向に対して直交する位置から内方に向かって０〜９０度の範囲内に傾斜するように形成されることが望ましい。
【００２２】
上述のように構成された掻き取り具１は、図５に示すように、手で柄部３を把持して掻き取り部１０を口の奥に挿入する。図６（ａ）に示すように、掻き取り部１０の立ち上がり部１３を舌の表面に向けて舌に押し当てると、連接部４を除く掻き取り部１０が舌に対向することになる。この際、立ち上がり部１３全面が押し当てた舌の表面に当接することから舌と受け皿部１１間が密着状態となる。
【００２３】
この状態で、図６（ｂ）に示すように、舌の奥から舌の先端に向かって擦るように移動させる。すると、立ち上がり部１３は、内側に向かって傾斜して形成されるとともに受け皿部１１より薄く形成されているため、受け皿部１１に対して撓むことによって舌乳頭間に食い込んで舌乳頭間から舌垢を取り出す。取り出した舌垢は密着状態の受け皿部１１内に吸込まれることによって、掻き取り溝１２内又は受け皿部１１内に収納される。舌垢は立ち上がり部１３によって掻き寄せられ、口外に持ち運ばれて除去される。
【００２４】
この際、掻き取り部１０の形状がハート形に形成されている掻き取り具１では、掻き取り部１０の先端外形の中央部に凹部１０ａが形成されているため、舌を平面状あるいは舌の中央部を上方に突き上げて舌の先端から突き出す状態で好適に使用できる。
【００２５】
また、逆に舌の中央部を凹ませたＶ字状で舌の先端から突き出す状態では、図７に示すような、掻き取り部１０がスペード形に形成したもので使用することが望ましい。
【００２６】
図７に示す掻き取り具１Ａは、前述の形態と同様に形成される柄部３と凹状面を有する掻き取り部１０Ａとから形成されている。掻き取り部１０Ａは、前述の形態と同様、柄部３の軸心延設方向に対して、傾斜する方向に延設して形成されるとともに、柄部３の軸心延設方向に対して、水平方向に直交する方向に広がるとともに中央部の先端に先端凸部１０ｂを有したスペード形に形成されている。また、側面視、湾曲して形成され、表面には受け皿部１１Ａが凹状面として形成されている。受け皿部１１Ａの周縁部に略全周にわたって掻き取り溝１２Ａが形成されている。掻き取り部１０Ａの先端には、掻き取り溝１２Ａから立ち上がる立ち上がり部１３Ａが形成されている。
【００２７】
なお、受け皿部１１Ａの厚みや深さ寸法、あるいは掻き取り溝１２Ａの深さや幅寸法、さらには立ち上がり部の厚みや高さ寸法は、前述の形態の掻き取り具１と同様に形成されている。
【００２８】
この掻き取り具１Ａを使用する場合、舌垢掻き取り具１を使用する際に、舌の中央部を凹ましたＶ字状にして口から外に突き出す状態で、掻き取り部１０Ａの先端を舌の凹んだ部分に押し当てて、図６（ａ）から図６（ｂ）に示すように、掻き折り具１Ａを舌の奥から舌の先端に向かって移動させる。先端凸部１０ｂの立ち上がり部１３Ａが舌の凹んだ部分に強く食い込み、掻き取り部１０Ａの立ち上がり部１３Ａの略全面で舌に当接することから、やはり、舌と受け皿部１１Ａとの間で密着状態を形成することができ、舌乳頭間から取り出した舌垢を受け皿部１１Ａ内に収納する。そしてその状態で掻き取り具１Ａを擦り寄せることによって、舌垢を掻き集めて口外に持ち運ぶことになる。
【００２９】
上述のように、実施形態の掻き取り具１（又は１Ａ）では、掻き取り部１０（又は１０Ａ）の周縁部に、受け皿部１１（又は１１Ａ）より薄肉の掻き取り溝１２（又は１２Ａ）を形成することによって受け皿部１１（又は１１Ａ）に対して可撓性を有することができ、舌の表面に合わせて立ち上がり部１３（又は１３Ａ）を僅かに食い込ませることができる。しかも受け皿部１１（又は１１Ａ）が凹状面を形成していることから、立ち上がり部１３（又は１３Ａ）で舌を当接することによって受け皿部１１（又は１１Ａ）内を舌との間で密着状態にすることができる。これによって、立ち上がり部１３（又は１３Ａ）で舌乳頭間から掻き取られた舌垢を吸着して掻き取り溝１２（又は１２Ａ）及び受け皿１１（又は１１Ａ）内に収納することができ、確実に舌垢の掻き取って口内から除去することができる。
【００３０】
また、口から突き出す舌の状態が、中央部を上方に突出するように膨らませたり、また、Ｖ字状に凹ませたりしても、掻き取り部１１（又は１１Ａ）の形状をハート型の掻き取り具１、あるいはスペード形の掻き取り具１Ａのいずれかを選択して使用することによって、掻き取り具１（又は１Ａ）の吸着状態を確保し易いことから、確実に舌垢を口内から除去することができる。
【００３１】
さらに、使用状態を向上させるために、柄部３の掻き取り部１０（又は１０Ａ）との連接部を狭小にすれば掻き取り部１０（又は１０Ａ）が、柄部３に対して撓み易く舌に食い込みやすい。また、柄部３に突起状の円環部５を軸方向に複数形成すれば、手で把持しやすく使い易い。そして、この掻き取り具１（又は１Ａ）を樹脂成形で一体的に形成すれば、コストを廉価にするとともに、可撓性を有して掻き取り部１０（又は１０Ａ）を撓み易くでき、さらに舌を傷つけることがない。
【００３２】
なお、本発明の舌垢の掻き取り具は、上述の形態に限定するものではない。例えば、掻き取り部は、柄部の連接部を除く周縁部全周にわたって形成されていれば、略矩形状に形成されていてもよく、また、楕円状や真円状であってもよい。
【図面の簡単な説明】
【００３３】
【図１】本発明の一形態による掻き取り具を示す正面図である。
【図２】同側面図である。
【図３】同掻き取り部を示す拡大断面図である。
【図４】同掻き取り部を示す拡大正面図である。
【図５】同使用態様図である。
【図６】図１の掻き取り具で舌垢を掻き取る作用を示す使用態様図である。
【図７】別の形態の掻き取り具を示す正面図である。
【符号の説明】
【００３４】
１、掻き取り具
３、柄部
４、連接部
５、円環部
１０、掻き取り部
１１、受け皿部
１２、掻き取り溝
１３、立ち上がり部
【図１】
2009011655.tif 000003
【図２】
2009011655.tif 000004
【図３】
2009011655.tif 000005
【図４】
2009011655.tif 000006
【図５】
2009011655.tif 000007
【図６】
2009011655.tif 000008
【図７】
2009011655.tif 000009